(57)【要約】      （修正有）【課題】  ドライ性能、及びウエット性能を確保しつつ、雪上性能を向上させる。【解決手段】  タイヤ周方向に対する角度が２５〜６５度で傾斜する第２ラグ溝３８を配置することで高い排水性能を得る。ラグ区画陸部分４８の蹴り出し縁、踏み込み縁の両縁部分に、複数本のラグ縁部分断溝５４を形成することで、雪上でのコーナリング性能、ブレーキ性能、及びトラクション性能を高める。ラグ区画陸部分４８を２本の補助ラグ細溝５０でタイヤ周方向に３分割することで雪上走行に有効なブロック剛性とし、補助ラグ細溝５０とラグ縁部分断溝５４とで複数の小サブラグ陸部５６を区画することで、雪上でのコーナリング性能を向上する。さらに、ラグ区画陸部分４８を３分割することで、分割されたそれぞれの陸部分のタイヤ周方向の両縁部が、主にスノー走行時のトラクション、ブレーキ性能に有効に働く。【選択図】        図１
2006001346.tif 000002
【特許請求の範囲】
【請求項１】
両サイドウォール間に配置され路面と接するトレッドと、前記トレッドに設けられ、タイヤ周方向に沿って延びる複数本の周方向溝と、
タイヤ幅方向最外側の２本の前記周方向溝からそれぞれタイヤ赤道面に向けて延び、かつタイヤ周方向に対する角度が２５〜６５度で傾斜してタイヤ周方向に間隔をあけて配置される複数のラグ溝と、を備え、
前記トレッドは、前記ラグ溝で挟まれ、かつ前記ラグ溝に沿った方向の寸法が前記ラグ溝の長手方向に直交する方向の寸法よりも長く形成されたラグ区画陸部分を、タイヤ周方向に沿って複数配置することで構成した少なくとも１列のラグ区画陸部列を有し、
前記ラグ区画陸部分は、前記ラグ溝と平行に延びて前記ラグ溝よりも溝幅の狭く設定された２本の補助ラグ細溝に挟まれてタイヤ幅方向に分断されることなく連続して延びるラグ中央領域と、前記ラグ中央領域のタイヤ周方向両側に設けられ、前記補助ラグ細溝と、タイヤ周方向縁部分を前記ラグ溝に沿った方向に複数に分断する複数本のラグ縁部分断溝とによって区画される複数の小サブラグ陸部からなる周方向ラグ縁部領域とを有する、
ことを特徴とする空気入りタイヤ。
【請求項２】
前記ラグ中央領域を前記ラグ溝の長手方向に直交する方向に計測した際の幅をＷ１、前記周方向ラグ縁部領域を前記ラグ溝の長手方向に直交する方向に計測した際の幅をＷ２としたときに、Ｗ２／Ｗ１が０．５〜１．５の範囲内に設定されている、ことを特徴とする請求項１に記載の空気入りタイヤ。
【請求項３】
前記ラグ溝と、前記ラグ溝に接続する前記ラグ縁部分断溝との成す角度が３０度以上に設定されている、ことを特徴とする請求項１または請求項２に記載の空気入りタイヤ。
【請求項４】
前記ラグ縁部分断溝の溝幅は、隣接する前記ラグ溝の溝幅の５〜８０％の範囲内に設定されている、ことを特徴とする請求項１乃至請求項３の何れか１項に記載の空気入りタイヤ。
【請求項５】
前記ラグ区画陸部分のタイヤ周方向縁部は、１〜７本のラグ縁部分断溝により分断されている、ことを特徴とする請求項１乃至請求項４の何れか１項に記載の空気入りタイヤ。
【請求項６】
前記補助ラグ細溝は、接地時に互いに対向する溝壁同士が接触する、ことを特徴とする請求項１乃至請求項５の何れか１項に記載の空気入りタイヤ。
【請求項７】
前記ラグ溝は、トレッド端に開口するようにタイヤ幅方向外側へ延び、前記トレッド中央領域、及び前記トレッド中央領域のタイヤ幅方向外側に位置するトレッドショルダー領域に、それぞれタイヤ周方向に延びるブロック列を形成している、ことを特徴とする請求項１乃至請求項６の何れか１項に記載の空気入りタイヤ。
【請求項８】
前記ラグ溝で挟まれる全ての陸部分は、前記補助ラグ細溝によってタイヤ周方向に少なくとも２つのサブブロックに分割されている、ことを特徴とする請求項１乃至請求項７の何れか１項に記載の空気入りタイヤ。
【発明の詳細な説明】
【技術分野】
【０００１】
本発明は、空気入りタイヤにかかり、特に、オールシーズンにわたって使用できる空気入りタイヤに関する。
【背景技術】
【０００２】
オールシーズンタイヤにおいては、ドライ、ウエットの走行性能と共に、雪上での性能を高次元でバランスさせることが要求されている。
【０００３】
従来のオールシーズンタイヤのトレッドパターンとしては、例えば特許文献１に記載されているようなトレッドパターンが代表的なものである。
【特許文献１】特許３２２２９５３号
【発明の開示】
【発明が解決しようとする課題】
【０００４】
現行パターンのような構成では、雪上性能を確保しようとすると比較的周方向に対して大きな角度を持つラグ溝を入れ、また、ブロック内に均等に入れた細溝の本数を増加させる手法でスノー性能を確保を狙っているが、この手法では、雪上性能を良くしようとするとブロック剛性の低下につながり、ドライ、ウエット操縦性能の低下につながる。
【０００５】
また、ラグ溝の角度がタイヤ幅方向に近いため、排水性能には不利となる。
【０００６】
本発明は、上記問題を解決すべく成されたもので、ドライ性能、及びウエット性能を確保しつつ、雪上性能を向上させることのできる空気入りタイヤの提供を目的とする。
【課題を解決するための手段】
【０００７】
上記目的を達成するために請求項１に記載の空気入りタイヤは、両サイドウォール間に配置され路面と接するトレッドと、前記トレッドに設けられ、タイヤ周方向に沿って延びる複数本の周方向溝と、タイヤ幅方向最外側の２本の前記周方向溝からそれぞれタイヤ赤道面に向けて延び、かつタイヤ周方向に対する角度が２５〜６５度で傾斜してタイヤ周方向に間隔をあけて配置される複数のラグ溝と、を備え、前記トレッドは、前記ラグ溝で挟まれ、かつ前記ラグ溝に沿った方向の寸法が前記ラグ溝の長手方向に直交する方向の寸法よりも長く形成されたラグ区画陸部分を、タイヤ周方向に沿って複数配置することで構成した少なくとも１列のラグ区画陸部列を有し、前記ラグ区画陸部分は、前記ラグ溝と平行に延びて前記ラグ溝よりも溝幅の狭く設定された２本の補助ラグ細溝に挟まれてタイヤ幅方向に分断されることなく連続して延びるラグ中央領域と、前記ラグ中央領域のタイヤ周方向両側に設けられ、前記補助ラグ細溝と、タイヤ周方向縁部分を前記ラグ溝に沿った方向に複数に分断する複数本のラグ縁部分断溝とによって区画される複数の小サブラグ陸部からなる周方向ラグ縁部領域とを有する、
ことを特徴としている。
【０００８】
次に、請求項１に記載の空気入りタイヤの作用を説明する。
【０００９】
先ず、トレッドに、タイヤ周方向に沿って延びる複数本の周方向溝を配置したので、基本的な排水性、ドライ、ウエット走行時の直進安定性が確保される。
【００１０】
タイヤ周方向に対する角度が２５〜６５度で傾斜するラグ溝を複数配置することにより、オールシーズンタイヤより高い排水性能を発揮することができる。
【００１１】
ここで、ラグ溝のタイヤ周方向に対する角度が２５度未満になると、ラグ区画陸部列が非常に細くなるため、運動性能の悪化が懸念される。
【００１２】
一方、ラグ溝のタイヤ周方向に対する角度が６５度を超えると、排水性能に対するメリットが無くなる。
【００１３】
したがって、ラグ溝は、タイヤ周方向に対する角度が２５〜６５度の範囲内で傾斜することが好ましい。
【００１４】
タイヤ周方向に対する傾斜角度が比較的小さく設定されているラグ溝は、排水性能には有利であるが、雪上走行には不利となるが、この空気入りタイヤでは、ラグ区画陸部部分の蹴り出し縁、踏み込み縁の両縁部分に、複数のラグ縁部分断溝を形成することで上記雪上走行時の不利な部分を補い、雪上でのコーナリング性能、ブレーキ性能、及びトラクション性能を高めることができる。
【００１５】
ここで、ラグ区画陸部分は、エッジ（細溝）を刻めるように、予め比較的幅広く設定することが好ましい。
【００１６】
幅広に設定したラグ区画陸部分を、ラグ溝と平行な補助ラグ細溝でタイヤ周方向に分割することで雪上走行に有効なブロック剛性にでき、補助ラグ細溝とラグ縁部分断溝とで小サブラグ陸部を区画することで、雪上でのコーナリング性能が向上できる。
【００１７】
さらに、ラグ区画陸部は、補助ラグ細溝により周方向に３分割され、それぞれの両縁部は、主にスノー走行時のトラクション、ブレーキ性能に有効に働く機能を有する。
【００１８】
補助ラグ細溝に挟まれる中央部分は、細溝で刻まずに剛性の高い状態を保つことで、ドライ、ウエット、雪上走行時に、両縁小サブ陸部の倒れ込みを抑制できるため、両縁ブロックのブロック剛性を落とすことが可能、即ち、より雪上走行に有効なエッジ（ラグ縁部分断溝）を刻むことが可能となる。
【００１９】
請求項２に記載の発明は、請求項１に記載の空気入りタイヤにおいて、前記ラグ中央領域を前記ラグ溝の長手方向に直交する方向に計測した際の幅をＷ１、前記周方向ラグ縁部領域を前記ラグ溝の長手方向に直交する方向に計測した際の幅をＷ２としたときに、Ｗ２／Ｗ１が０．５〜１．５の範囲内に設定されている、ことを特徴としている。
【００２０】
次に、請求項２に記載の空気入りタイヤの作用を説明する。
【００２１】
ラグ中央領域の幅Ｗ１、周方向ラグ縁部領域の幅Ｗ２との比率Ｗ２／Ｗ１を０．５〜１．５の範囲内に設定することで、それぞれの領域の周方向の剛性をほぼ均一にでき、タイヤが転動することで生じる偏摩耗を抑制することができる。
【００２２】
請求項３に記載の空気入りタイヤは、請求項１または請求項２に記載の空気入りタイヤにおいて、前記ラグ溝と、前記ラグ溝に接続する前記ラグ縁部分断溝との成す角度が３０度以上に設定されている、ことを特徴としている。
【００２３】
次に、請求項３に記載の空気入りタイヤの作用を説明する。
【００２４】
ラグ溝とラグ縁部分断溝の成す角度が３０度未満になると、小サブラグ陸部が鋭角部分を持ち、ブロック剛性の低下から、雪上性能の悪化、偏摩耗性の懸念がある。
【００２５】
したがって、ラグ溝とラグ縁部分断溝の成す角度を３０度以上とすることが好ましい。
【００２６】
請求項４に記載の空気入りタイヤは、請求項１乃至請求項３の何れか１項に記載の空気入りタイヤにおいて、前記ラグ縁部分断溝の溝幅は、隣接する前記ラグ溝の溝幅の５〜８０％の範囲内に設定されている、ことを特徴としている。
【００２７】
次に、請求項４に記載の空気入りタイヤの作用を説明する。
【００２８】
ラグ縁部分断溝の溝幅が隣接するラグ溝の溝幅の５％未満になると、雪上走行時に、ラグ縁部分断溝に入り込んで形成される雪柱の剪断力が不足し、有効な雪上性能を発揮できなくなる。
【００２９】
一方、ラグ縁部分断溝の溝幅が隣接するラグ溝の溝幅の８０％を超えると、ラグ溝の排水効果が悪化し、小サブラグ陸部の剛性低下（体積減少による）に起因するドライ、ウエット、スノーの各操縦性が低下する。
【００３０】
したがって、ラグ縁部分断溝の溝幅を、隣接するラグ溝の溝幅の５〜８０％の範囲内に設定することが好ましい。
【００３１】
請求項５に記載の発明は、請求項１乃至請求項４の何れか１項に記載の空気入りタイヤにおいて、前記ラグ区画陸部分のタイヤ周方向縁部は、１〜７本のラグ縁部分断溝により分断されている、ことを特徴としている。
【００３２】
次に、請求項５に記載の空気入りタイヤの作用を説明する。
【００３３】
ラグ区画陸部分のタイヤ周方向縁部は、ブロックの大きさ、得ようとするスノー性能の度合いにより分断数を決めるが、ひとつのタイヤ周方向縁部に対してラグ縁部分断溝の数が８本以上になると、ラグ区画陸部分の縁部の剛性の低下が著しくなり、ドライ、ウエット性能の低下、及び偏摩耗性の低下を招く。
【００３４】
したがって、ラグ縁部分断溝の数を７本以下とすることが好ましい。
【００３５】
請求項６に記載の発明は、請求項１乃至請求項５の何れか１項に記載の空気入りタイヤにおいて、前記補助ラグ細溝は、接地時に互いに対向する溝壁同士が接触する、ことを特徴としている。
【００３６】
次に、請求項６に記載の空気入りタイヤの作用を説明する。
【００３７】
接地時に、補助ラグ細溝の互いに対向する溝壁同士が接触すると、ラグ区画陸部分の周方向中央部分が、タイヤ周方向両側の小サブラグ陸部をタイヤ接地面内で支えることになり、小サブラグ陸部の不必要な変形が抑えられる。
【００３８】
請求項７に記載の空気入りタイヤは、請求項１乃至請求項６の何れか１項に記載の空気入りタイヤにおいて、前記ラグ溝は、トレッド端に開口するようにタイヤ幅方向外側へ延び、前記トレッド中央領域、及び前記トレッド中央領域のタイヤ幅方向外側に位置するトレッドショルダー領域に、それぞれタイヤ周方向に延びるブロック列を形成している、ことを特徴としている。
【００３９】
次に、請求項７に記載の空気入りタイヤの作用を説明する。
【００４０】
ラグ溝がトレッド端に開口するようにタイヤ幅方向外側へ延び、トレッド中央領域、及びトレッド中央領域のタイヤ幅方向外側に位置するトレッドショルダー領域に、それぞれタイヤ周方向に延びるブロック列を形成することで、オールシーズンタイヤに必要なスノー性能を確保することが出来る。
【００４１】
請求項８に記載の発明は、請求項１乃至請求項７の何れか１項に記載の空気入りタイヤにおいて、前記ラグ溝で挟まれる陸部分は、前記補助ラグ細溝によってタイヤ周方向に少なくとも２つのサブブロックに分割されている、ことを特徴としている。
【００４２】
次に、請求項８に記載の空気入りタイヤの作用を説明する。
【００４３】
ラグ溝で挟まれる陸部分が、補助ラグ細溝によってタイヤ周方向に少なくとも２つのサブブロックに分割されているので、より高い雪上性能を発揮することができる。
【発明の効果】
【００４４】
以上説明したように、請求項１に記載の空気入りタイヤは上記の構成としたので、ドライ性能、及びウエット性能を確保しつつ、雪上性能を向上させることができる、という優れた効果を有する。
【００４５】
請求項２に記載の空気入りタイヤは上記の構成としたので、タイヤが転動することで生じる偏摩耗を抑制することができる、という優れた効果を有する。
【００４６】
請求項３に記載の空気入りタイヤは上記の構成としたので、小サブラグ陸部のブロック剛性を確実に確保できる、という優れた効果を有する。
【００４７】
請求項４に記載の空気入りタイヤは上記の構成としたので、ドライ、ウエット、スノーの各性能を高次元でバランスさせることができる、という優れた効果を有する。
【００４８】
請求項５に記載の空気入りタイヤは上記の構成としたので、ドライ、ウエット、スノーの各性能を高次元でバランスさせることができる、という優れた効果を有する。
【００４９】
請求項６に記載の空気入りタイヤは上記の構成としたので、小サブラグ陸部の不必要な変形を抑えることができる、という優れた効果を有する。
【００５０】
請求項７に記載の空気入りタイヤは上記の構成としたので、オールシーズンタイヤに必要なスノー性能を確保することが出来る、という優れた効果を有する。
【００５１】
また、請求項８に記載の空気入りタイヤは上記の構成としたので、より高い雪上性能を発揮することができる、という優れた効果を有する。
【発明を実施するための最良の形態】
【００５２】
以下、図面を参照して本発明の実施の形態の一例を詳細に説明する。
【００５３】
図１乃至図２にしたがって、本発明の一実施形態に係る空気入りタイヤ１０を説明する。
【００５４】
この空気入りタイヤ１０は、サイズが２０５／５５Ｒ１６であり、内部構造は通常のラジアルタイヤと同様のものである。
【００５５】
図１に示すように、本実施形態の空気入りタイヤ１０のトレッド１２には、車両装着時の内側から外側へ向けて第１周方向溝１４、第２周方向溝１６、第３周方向溝１８が形成されている。
【００５６】
ここで、この空気入りタイヤ１０では、図面左側が車両装着時の内側、図面右側が車両装着時の外側となる。
【００５７】
本実施形態では、トレッド１２の第１周方向溝１４と第３周方向溝１８との間を中央領域２０、第１周方向溝１４の車両装着時内側（矢印ＩＮ方向側）を内ショルダー領域２２、第３周方向溝１８の車両装着時外側（矢印ＯＵＴ方向側）を外ショルダー領域２４と呼ぶことにする。
【００５８】
第２周方向溝１６には、第１周方向溝１４と交差して車両装着時内側のトレッド端１２Ｅに向けて左上がりに傾斜して延びる第１ラグ溝２６が接続されている。
【００５９】
内ショルダー領域２２には、第１周方向溝１４と第１ラグ溝２６とによって内ショルダーブロック２８が区画されている。
【００６０】
内ショルダーブロック２８には、第１ラグ溝２６と平行に延びる横細溝３０、及び縦タイヤ周方向に沿って延びる細溝３２が形成されている。
【００６１】
一方、中央領域２０には、第２周方向溝１６の内ショルダー領域側に、第１周方向溝１４、第２周方向溝１６、及び第１ラグ溝２６とによって、第１ブロック３４が区画されている。
【００６２】
第１ブロック３４のタイヤ軸方向中央には、第１ラグ溝２６と平行に延びる横細溝３６が形成されている。
【００６３】
中央領域２０、及び外ショルダー領域２４には、車両装着時外側のトレッド端１２Ｅから第３周方向溝１８と交差して第２周方向溝１６の近傍まで左上がりで傾斜して延びる第２ラグ溝３８が形成されている。
【００６４】
なお、第２ラグ溝３８のトレッド中央側の端部には、タイヤ赤道面ＣＬと平行に延びる短尺周方向溝４０が連結している。
【００６５】
外ショルダー領域２４には、第３周方向溝１８と第２ラグ溝３８とによって外ショルダーブロック４２が区画されている。
【００６６】
外ショルダーブロック４２には、第２ラグ溝３８と平行に延びる横細溝４４、及び縦タイヤ周方向に沿って延びる細溝４６が形成されている。
【００６７】
ここで、本実施形態では、中央領域２０の第２周方向溝１６と第３周方向溝１８との間に配置される陸部のなかで、第２ラグ溝３８と第２ラグ溝３８との間をラグ区画陸部分４８と呼ぶことにする。
【００６８】
ラグ区画陸部分４８には、第２ラグ溝３８の平行とされた、２本の補助ラグ細溝５０が形成されている。
【００６９】
補助ラグ細溝５０は、一方の端部が短尺周方向溝４０に連結され、他方の端部が第３周方向溝１８に連結されている。
【００７０】
また、補助ラグ細溝５０は、接地時に互いに対向する溝壁同士が接触する（即ち、接地時に溝が閉じる。）ような溝幅に設定されている。
【００７１】
ラグ区画陸部分４８は、第２ラグ溝３８の長手方向に沿って長く形成されている。
【００７２】
ラグ区画陸部分４８は、２本の補助ラグ細溝５０によってタイヤ周方向に３つの領域に区画されており、本実施形態では、中央をラグ中央領域５１、その両側をそれぞれ周方向ラグ縁部領域５２と呼ぶことにする。
【００７３】
図２に示すように、ラグ中央領域５１を第２ラグ溝３８の長手方向に直交する方向に計測した際の幅をＷ１、周方向ラグ縁部領域５２を第２ラグ溝３８の長手方向に直交する方向に計測した際の幅をＷ２としたときに、Ｗ２／Ｗ１は０．５〜１．５の範囲内に設定されていることが好ましい。
【００７４】
ラグ中央領域５１は、細溝等が形成されることなく第３周方向溝１８と短尺周方向溝４０との間で連続して延びている。
【００７５】
次に、周方向ラグ縁部領域５２には、補助ラグ細溝５０と、タイヤ周方向縁部分を第２ラグ溝３８に沿った方向に複数に分断する複数本のラグ縁部分断溝５４とによって複数の小サブラグ陸部５６が区画されている。
【００７６】
なお、一つの周方向ラグ縁部領域５２において、ラグ縁部分断溝５４の本数は、１〜７本の範囲内が好ましい。
【００７７】
第２ラグ溝３８と、ラグ縁部分断溝５４との成す角度θ（狭角側で計測）は３０度以上に設定することが好ますしい。
【００７８】
さらに、ラグ縁部分断溝５４の溝幅Ｗ３は、隣接する第２ラグ溝３８の溝幅Ｗ４の５〜８０％の範囲内に設定することが好ましい。
【００７９】
なお、本実施形態の空気入りタイヤ１０では、第１周方向溝１４、第２周方向溝１６、第３周方向溝１８、第１ラグ溝２６、第２ラグ溝３８、短尺周方向溝４０、ラグ縁部分断溝５４の溝深さは、８．５mmである。第１周方向溝１４、第２周方向溝１６、第３周方向溝１８の溝幅は、７．５〜９mmである。ラグ縁部分断溝５４のタイヤ周方向に対する角度は５０度であり、ラグ縁部分断溝５４の第２ラグ溝３８に対する角度θは６５度である。ラグ縁部分断溝５４の溝幅Ｗ３は、隣接する第２ラグ溝３８の溝幅Ｗ４の４５％に設定されている。
【００８０】
また、横細溝３０、細溝３２、横細溝３６、横細溝４４、細溝４６、補助ラグ細溝５０の溝幅は、それぞれ０．５mmであり、接地時に閉じる溝幅である。
（作用）
次に、本実施形態の空気入りタイヤ１０の作用を説明する。
【００８１】
本実施形態の空気入りタイヤ１０では、トレッド１２に、タイヤ周方向に沿って延びる第１周方向溝１４、第２周方向溝１６、及び第３周方向溝１８の３本の周方向溝を配置したので、基本的な排水性、ドライ、ウエット走行時の直進安定性が確保される。
【００８２】
トレッド１２に、タイヤ周方向に対する角度が２５〜６５度で傾斜する第２ラグ溝３８が配置されているので、従来のオールシーズンタイヤよりも高い排水性能を発揮することができる。
【００８３】
なお、各ラグ溝のタイヤ周方向に対する角度が２５度未満になると、ラグ溝間のラグ区画陸部分４８が非常に細くなり、剛性不足による運動性能の悪化が懸念される。
【００８４】
一方、各ラグ溝のタイヤ周方向に対する角度が６５度を超えると、排水性能に対するメリットが無くなる。
【００８５】
第２ラグ溝３８のタイヤ周方向に対する傾斜角度を小さくすると排水性能には有利であるが、雪上走行には不利となる。しかしながら、本実施形態の空気入りタイヤ１０では、ラグ区画陸部分４８の蹴り出し縁、踏み込み縁の両縁部分に、複数本のラグ縁部分断溝５４を形成しているので、雪上走行時の不利な部分を補い、雪上でのコーナリング性能、ブレーキ性能、及びトラクション性能を高めることができる。
【００８６】
また、幅広に設定したラグ区画陸部分４８を第２ラグ溝３８と平行な２本の補助ラグ細溝５０でタイヤ周方向に３分割することで雪上走行に有効なブロック剛性にでき、補助ラグ細溝５０とラグ縁部分断溝５４とで複数の小サブラグ陸部５６を区画することで、雪上でのコーナリング性能を向上することができる。
【００８７】
さらに、ラグ区画陸部分４８を３分割することで、分割されたそれぞれの陸部分（ラグ中央領域５１、周方向ラグ縁部領域５２）のタイヤ周方向の両縁部は、主にスノー走行時のトラクション、ブレーキ性能に有効に働く機能を有する。
【００８８】
ラグ中央領域５１は、細溝で刻まずに剛性の高い状態を保つことで、ドライ、ウエット、雪上走行時に、タイヤ周方向両側の小サブラグ陸部５６の倒れ込みを抑制できるため、小サブラグ陸部５６のブロック剛性を落とすことが可能、即ち、より雪上走行に有効なエッジ（ラグ縁部分断溝５４）を刻むことが可能となる。
【００８９】
ラグ中央領域５１の幅Ｗ１、周方向ラグ縁部領域５２の幅Ｗ２との比率Ｗ２／Ｗ１を０．５〜１．５の範囲内に設定することで、それぞれの領域の周方向の剛性をほぼ均一にでき、タイヤが転動することで生じる偏摩耗を抑制することができる。
【００９０】
第２ラグ溝３８とラグ縁部分断溝５４との成す角度θが３０度未満になると、小サブラグ陸部５６が鋭角部分を持ち、ブロック剛性の低下から、雪上性能の悪化、偏摩耗性の懸念がある。
【００９１】
ラグ縁部分断溝５４の溝幅Ｗ３が隣接する第２ラグ溝３８の溝幅Ｗ４の５％未満になると、雪上走行時に、ラグ縁部分断溝５４に入り込んで形成される雪柱の剪断力が不足し、有効な雪上性能を発揮できなくなる。
【００９２】
一方、ラグ縁部分断溝５４の溝幅Ｗ３が隣接する第２ラグ溝３８の溝幅Ｗ４の８０％を超えると、第２ラグ溝３８の排水効果が悪化し、小サブラグ陸部５６の剛性低下に起因するドライ、ウエット、スノーの各操縦性が低下する。
【００９３】
なお、ひとつのタイヤ周方向縁部に対してラグ縁部分断溝の数が８本以上になると、ラグ区画陸部分の縁部の剛性の低下が著しくなり、ドライ、ウエット性能の低下、及び偏摩耗性の低下を招く。
【００９４】
接地時には、補助ラグ細溝５０が閉じて、ラグ区画陸部分４８のラグ中央領域５１がタイヤ周方向両側の小サブラグ陸部５６をタイヤ接地面内で支えるので、小サブラグ陸部５６の不必要な変形が抑えられる。
【００９５】
第１ラグ溝２６、及び第２ラグ溝３８がトレッド端１２Ｅに開口するようにタイヤ幅方向中央からタイヤ幅方向外側へ延びてトレッド１２の全体を略横断しているので、オールシーズンタイヤに必要なスノー性能を確保することが出来る。
（試験例）
本発明の効果を確かめるために、従来例の空気入りタイヤ、及び本発明の適用された実施例の空気入りタイヤとを用意し、実車試験を行った。
【００９６】
以下に、試験に用いた従来例の空気入りタイヤのトレッドパターンを図３に従って説明する。
【００９７】
図３に示すように、トレッド１００には、中央に周方向溝１０２が形成され、その両側に周方向溝１０４が形成されている。
【００９８】
周方向溝１０２と周方向溝１０４との間の陸部分には、タイヤ赤道面ＣＬに対する傾斜角度がタイヤ赤道面ＣＬに向けて減少するラグ溝１０６、ラグ溝１０６とラグ溝１０６とを連結しラグ溝１０６と反対方向に傾斜するラグ溝１０８によって、リブ１１０及びブロック１１２が区画形成されている。
【００９９】
リブ１１０には、サイプ１１４、サイプ１１６が形成され、ブロック１１２にはサイプ１１８及びサイプ１２０が形成されている。
【０１００】
周方向溝１０４のタイヤ幅方向外側にはリブ１２２が区画されており、リブ１２２にはトレッド端１００Ｅから周方向溝１０４に向けて延び、ブロック内で終端するラグ溝１２４、前記ラグ溝１０６の延長線上に配置され、ブロック内で終端するラグ溝１２６が形成されている。リブ１２２には、サイプ１２８，１３０，１３２が形成されている。
【０１０１】
なお、試験に用いた空気入りタイヤは、何れもサイズが２０５／５５Ｒ１６であり、内圧が２３０ｋＰａであった。また、荷重は、２名乗車相当であった。
【０１０２】
以下に試験方法、及び評価方法を説明する。
・雪上フィーリング：圧雪路面のテストコースにおける制動性、発進性、コーナリング性の総合評価。評価は従来例を１００とする指数表示とした。なお、指数の数値が大きいほど性能に優れていることを表している。
・雪上ブレーキ：圧雪上を４０ｋｍ／ｈからフル制動したときの制動距離を計測。評価は、従来例の制動距離の逆数を１００とする指数表示とした。なお、指数の数値が大きいほど性能に優れていることを表している。
・雪上トラクション：圧雪上での５０ｍの距離での発進からの加速タイムを計測。評価は、従来例の加速タイムの逆数を１００とする指数表示とした。なお、指数の数値が大きいほど性能に優れていることを表している。
・ウエットハイドロプレーニング性：水深５mmのウエット路の通過時のハイドロプレーニング発生限界速度のフィーリング。
・ドライ操縦安定性：ドライ状態のサーキットコースを各種走行モードにてスポーツ走行した。評価は、テストドライバーのフィーリング評価とし、従来例を１００とする指数表示とした。なお、指数の数値が大きいほど性能に優れていることを表している。
・ウエット操縦安定性：ウエット状態のサーキットコースを各種走行モードにてスポーツ走行した。評価は、テストドライバーのフィーリング評価とし、従来例を１００とする指数表示とした。なお、指数の数値が大きいほど性能に優れていることを表している。
【０１０３】
試験の結果は、以下の表１に記載した通りである。
【０１０４】
【表１】
2006001346.tif 000003
【０１０５】
試験の結果から、本発明の適用された実施例の空気入りタイヤは、従来例の空気入りタイヤに比較して上記全ての性能が向上していることが分かる。
【図面の簡単な説明】
【０１０６】
【図１】本発明の一実施形態に係る空気入りタイヤのトレッドの平面図である。
【図２】図１に示すラグ区画陸部分の拡大平面図である。
【図３】従来例に係る空気入りタイヤのトレッドの平面図である。
【符号の説明】
【０１０７】
１０    空気入りタイヤ
１２    トレッド
１４    第１周方向溝
１６    第２周方向溝
１８    第３周方向溝
２０    トレッド中央領域
２６    第１ラグ溝
２８    内ショルダーブロック
３４    ブロック
３８    第２ラグ溝
４２    外ショルダーブロック
４８    ラグ区画陸部分
５０    補助ラグ細溝
５１    ラグ中央領域
５２    周方向ラグ縁部領域
５４    ラグ縁部分断溝
５６    小サブラグ陸部
【図１】
2006001346.tif 000004
【図２】
2006001346.tif 000005
【図３】
2006001346.tif 000006